(57)【要約】【課題】保守に用いる部材を倉庫から持ち出して使用後に返却するような場合に、保守作業に必要な部材を漏らさず保守作業者に携行させ、持ち出した部材を確実に倉庫に返却させるようにする。【解決手段】保守作業サポートシステムは、顧客からの保守依頼を受け付ける第１端末装置、保守部材を管理する第２端末装置、倉庫に設置されるゲート装置、保守作業者に携帯される第３端末装置から構成され、第２端末装置は、部材情報及び顧客情報を第１端末装置から取得し、必要な保守部材、保守作業者、保守作業日時を含む保守情報をゲート装置に登録し、ゲート装置は、持ち出される保守部材及び第３端末装置の識別情報の入力を受け付け、登録された保守情報に基づいて、保守に必要な保守部材が持ち出されたかを判定し、戻される保守部材及び第３端末装置の識別情報の入力を受け付け、登録された保守情報に基づいて、持ち出された保守部材が返却されたかを判定する。【選択図】図１
2011008331.tif 000002
【特許請求の範囲】
【請求項１】
顧客からの保守依頼を受け付けるための第１端末装置と、保守作業に用いる保守部材を管理するための第２端末装置と、前記保守部材が保管された倉庫に設置されるゲート装置と、保守作業者に携帯される第３端末装置と、から構成され、
前記第２端末装置は、保守に必要な保守部材に関する部材情報及び保守依頼を行った顧客に関する顧客情報を前記第１端末装置から取得するとともに、前記保守に必要な保守部材、保守作業者、保守作業の日時を含む保守情報を前記ゲート装置に登録し、
前記ゲート装置は、持ち出される保守部材の識別情報及び前記第３端末装置の識別情報の入力を受け付けて、前記登録された保守情報に基づいて、保守に必要な保守部材の持ち出しが行われたか否かを判定する部材持ち出し処理を行うとともに、戻される保守部材の識別情報及び前記第３端末装置の識別情報の入力を受け付けて、前記登録された保守情報に基づいて、持ち出された前記保守部材の返却が行われたか否かを判定する部材返却処理を行うことを特徴とする保守作業サポートシステム。
【請求項２】
前記第２端末装置は、
前記第１端末装置から取得した前記部材情報及び前記顧客情報に基づいて前記保守情報を前記ゲート装置に登録する保守情報登録部と、
保守作業員に対する保守作業指示及び部品返却指示を前記第３端末装置に通知する作業指示処理部と、
を有し、
前記ゲート装置は、
前記保守情報登録部により登録された前記保守情報を保持する保守情報保持部と、
保守作業者による前記保守部材の識別情報及び前記第３端末装置の識別情報の入力を受け付けて取得する識別情報取得部と、
前記保守情報保持部に保持された前記保守情報と前記識別情報取得部で取得された前記識別情報とを比較して、前記部材持ち出し処理及び前記部材返却処理を行う持ち出し返却判定部と、
前記持ち出し返却判定部による判定結果に基づいてドアの開閉動作を行うドア開閉部と、
前記持ち出し返却判定部による判定結果に基づいて保守作業者に対するアナウンスを行うアナウンス部と、
を有することを特徴とする請求項１に記載の保守作業サポートシステム。
【請求項３】
前記ゲート装置は、持ち出し時に識別情報が取得された保守部材と登録された前記保守情報に含まれる保守に必要な保守部材とが一致しない場合に、持ち出すべき保守部材の持ち忘れと判定し、保守作業者に対して前記保守部材の持ち出しを督促するアナウンスを行うとともに、ドアの閉状態にすることを特徴とする請求項１又は２に記載の保守作業サポートシステム。
【請求項４】
前記ゲート装置は、返却時に識別情報が取得された保守部材と登録された前記保守情報に含まれる保守に必要な保守部材とが一致しない場合に、返却すべき保守部材の戻し忘れと判定し、保守作業者に対して前記保守部材の返却を督促するアナウンスを行うことを特徴とする請求項１から３のいずれか１項に記載の保守作業サポートシステム。
【請求項５】
前記ゲート装置は、返却時に識別情報が取得された保守部材と登録された前記保守情報に含まれる保守に必要な保守部材とが一致しない場合に、返却すべき保守部材の戻し忘れと判定し、前記判定結果を前記第２端末装置に送信し、
前記第２端末装置は、前記ゲート装置から受信した前記判定結果に基づいて、前記第３端末装置に保守作業者に対する前記保守部材の返却指示を通知することを特徴とする請求項１から４のいずれか１項に記載の保守作業サポートシステム。
【請求項６】
顧客からの保守依頼を受け付けるための第１端末装置と、保守作業に用いる保守部材を管理するための第２端末装置と、前記保守部材が保管された倉庫に設置されるゲート装置と、保守作業者に携帯される第３端末装置と、から構成される保守作業サポートシステムにおいて、
前記第２端末装置は、保守に必要な保守部材に関する部材情報及び保守依頼を行った顧客に関する顧客情報を前記第１端末装置から取得するとともに、前記保守に必要な保守部材、保守作業者、保守作業の日時を含む保守情報を前記ゲート装置に登録し、
前記ゲート装置は、持ち出される保守部材の識別情報及び前記第３端末装置の識別情報の入力を受け付けて、前記登録された保守情報に基づいて、保守に必要な保守部材の持ち出しが行われたか否かを判定する部材持ち出し処理を行うとともに、戻される保守部材の識別情報及び前記第３端末装置の識別情報の入力を受け付けて、前記登録された保守情報に基づいて、持ち出された前記保守部材の返却が行われたか否かを判定する部材返却処理を行うことを特徴とする保守部材管理方法。
【請求項７】
前記第２端末装置が、前記第１端末装置から取得した前記部材情報及び前記顧客情報に基づいて前記保守情報を前記ゲート装置に登録する保守情報ステップと、
前記第２端末装置が、前記第１端末装置から取得した前記部材情報及び前記顧客情報に基づいて、保守作業員に対する保守作業指示を前記第３端末装置に通知する作業指示通知ステップと、
前記ゲート装置が、前記保守情報登録ステップで登録された前記保守情報を保持する保守情報保持ステップと、
前記ゲート装置が、保守作業者による前記保守部材の識別情報及び前記第３端末装置の識別情報の入力を受け付けて取得する識別情報取得ステップと、
前記ゲート装置が、前記保守情報保持ステップで保持された前記保守情報と前記識別情報取得ステップで取得された前記識別情報とを比較して、保守に必要な保守部材の持ち出しが行われたか否か及び持ち出された前記保守部材の返却が行われたか否かの判定を行う持ち出し返却判定ステップと、
前記ゲート装置が、前記持ち出し返却判定ステップによる判定結果に基づいてドアの開閉動作を行うドア開閉ステップと、
前記ゲート装置が、前記持ち出し返却判定ステップによる判定結果に基づいて保守作業者に対するアナウンスを行うアナウンスステップと、
前記第２端末装置が、前記持ち出し返却判定ステップによる判定結果に基づいて保守作業員に対する部品返却指示を前記第３端末装置に通知する返却指示通知ステップと、
を有することを特徴とする請求項６に記載の保守部材管理方法。
【請求項８】
顧客からの保守依頼を受け付けるための第１端末装置と、保守作業に用いる保守部材を管理するための第２端末装置と、前記保守部材が保管された倉庫に設置されるゲート装置と、保守作業者に携帯される第３端末装置と、から構成される保守作業サポートシステムに用いられ、
前記第２端末装置に、前記第１端末装置から取得した保守に必要な保守部材に関する部材情報及び保守依頼を行った顧客に関する顧客情報を用いて、前記保守に必要な保守部材、保守作業者、保守作業の日時を含む保守情報を前記ゲート装置に登録させ、
前記ゲート装置に、持ち出される保守部材の識別情報及び前記第３端末装置の識別情報の入力を受け付けて、前記登録された保守情報に基づいて、保守に必要な保守部材の持ち出しが行われたか否かを判定する部材持ち出し処理を行わせるとともに、戻される保守部材の識別情報及び前記第３端末装置の識別情報の入力を受け付けて、前記登録された保守情報に基づいて、持ち出された前記保守部材の返却が行われたか否かを判定する部材返却処理を行わせることを特徴とするプログラム。
【請求項９】
前記第２端末装置のコンピュータに、
前記第１端末装置から取得した前記部材情報及び前記顧客情報に基づいて前記保守情報を前記ゲート装置に登録する保守情報ステップと、
前記第１端末装置から取得した前記部材情報及び前記顧客情報に基づいて、保守作業員に対する保守作業指示を前記第３端末装置に通知する作業指示通知ステップと、
前記ゲート装置から取得した保守部材返却の判定結果に基づいて、保守作業員に対する部品返却指示を前記第３端末装置に通知する返却指示通知ステップと、
前記ゲート装置のコンピュータに、
前記保守情報登録ステップで登録された前記保守情報を保持する保守情報保持ステップと、
保守作業者による前記保守部材の識別情報及び前記第３端末装置の識別情報の入力を受け付けて取得する識別情報取得ステップと、
前記保守情報保持ステップで保持された前記保守情報と前記識別情報取得ステップで取得された前記識別情報とを比較して、保守に必要な保守部材の持ち出しが行われたか否か及び持ち出された前記保守部材の返却が行われたか否かの判定を行う持ち出し返却判定ステップと、
前記持ち出し返却判定ステップによる判定結果に基づいてドアの開閉動作を行うドア開閉ステップと、
前記持ち出し返却判定ステップによる判定結果に基づいて保守作業者に対するアナウンスを行うアナウンスステップと、
を実行させることを特徴とする請求項８に記載のプログラム。
【請求項１０】
請求項８又は９に記載のプログラムを記録しコンピュータ読み取り可能なことを特徴とする記録媒体。
【発明の詳細な説明】
【技術分野】
【０００１】
本発明は、保守作業サポートシステム、保守部材管理方法、プログラム及び記録媒体に関し、特に、顧客先からの保守依頼を受けて、部品交換作業時に使用する工具やツール等の備品、また交換する部品を保守作業者に携行させて確実に保守作業を行わせる保守作業管理に好ましく適用される技術に関するものである。
【背景技術】
【０００２】
従来、顧客先で保守作業を行う保守作業者をアサインする管理者は、作業予定システムと呼ばれるシステムを用いて、保守作業者にその日に必要となる部材（保守機材、備品等）の携行指示を出す。そして、保守作業者は管理者の指示に基づいて保守作業を行うが、一部の保守作業者は、指示に従ったものの部材を持ち忘れたり、指示そのものを見落としたりすることがある。
【０００３】
そこで、各保守作業者に備品を配備し必ず携帯させて持ち忘れを防止する手法がある。しかし、備品を使用しない日でも備品を持ち歩かなければならず煩わしいし、備品を紛失するおそれがある。一方、保守機材と備品を１対１でマッチングさせ、保守作業員が顧客先へ作業しに行く日に保守機材と備品を一緒に自動配送させるという手法もあるが、修理をする顧客分の備品が必要になり配備コストが嵩む。また、顧客へその都度備品を配送しなければならないため輸送コストや管理コストがかかってしまう。
【０００４】
上記問題をクリアする方式として、活動拠点毎に数個(例えば１０個)を配備し、作業で必要になる日に限り持ち出すという手法が有効となるが、備品を長期に持ち続け戻入漏れをする人がいると全活動拠点に影響が及ぶという別問題が発生してしまう。
【０００５】
例えば、部品発送システムの一例が特許文献１に、部品持ち出しシステムの一例が非特許文献１に記載されている。特許文献１の部品発送システムは、親倉庫からブランチ倉庫へツールを自動的に出庫するシステムを制御する方式であり、特に出荷単位の物品を自動倉庫から複数のブランチ出庫する際に、各ブランチ倉庫の出庫状況に応じ出庫指示を行う自動倉庫の出庫制御方式である。また、非特許文献１の部品持ち出しシステムは、ゲート型のＲＦＩＤリーダ、管理端末、マニュアルや鍵等のツールに取り付けたＲＦＩＤタグから構成され、誰がいつどのツールを持ち出し、返却したかを自動的に記録していた。
【先行技術文献】
【特許文献】
【０００６】
【特許文献１】特開２００２−１９９２６号公報
【非特許文献】
【０００７】
【非特許文献１】“時間・担当者を自動記録：ＡＮＡ、整備ツールの出納管理にＵＨＦ帯ＲＦＩＤを活用”、[online]、平成21年2月5日、ITmedia、[平成21年6月16日検索]、インターネット<http://www.itmedia.co.jp/enterprise/ articles/0902/05/news064.html>
【発明の概要】
【発明が解決しようとする課題】
【０００８】
しかしながら、特許文献１の部品発送システムは、返品や再利用がない場合には有効な発送方法であろうが、次のような場合には不都合が生じる。すなわち、一定期間（例えば１週間）だけ保守のために部品を使用してまた倉庫へ返却するような場合、本来十分な数の部品があるにもかかわらず、親倉庫からブランチ倉庫へツールを出庫しようとしたときに限りたまたま部品がないときでさえ、部品を送付してしまうおそれがあり過剰在庫に陥いてしまう。例えば、今月３台の部品が出庫されたと過程し来月以後も３台出庫されると予測して部品の送付を続けると、部品をリサイクルする場合にはブランチ倉庫には部品がどんどん溜まってしまう。
【０００９】
また、非特許文献１の部品持ち出しシステムは、誰がいつどの部品を持ち出しかを明確にするだけの場合には有効であるが、必要部品を持ち出したかのチェックはしないため、部品を携帯するのを忘れた場合には対応ができない。
【００１０】
そこで、本発明は、保守に用いる部材を倉庫から持ち出して使用後に返却するような場合に、保守作業に必要な部材を漏らさず保守作業者に携行させるとともに、持ち出した部材を確実に倉庫に返却させるようにすることを目的とする。
【課題を解決するための手段】
【００１１】
本発明の一側面である保守作業サポートシステムは、顧客からの保守依頼を受け付けるための第１端末装置と、保守作業に用いる保守部材を管理するための第２端末装置と、保守部材が保管された倉庫に設置されるゲート装置と、保守作業者に携帯される第３端末装置と、から構成され、第２端末装置は、保守に必要な保守部材に関する部材情報及び保守依頼を行った顧客に関する顧客情報を第１端末装置から取得するとともに、保守に必要な保守部材、保守作業者、保守作業の日時を含む保守情報をゲート装置に登録し、ゲート装置は、持ち出される保守部材の識別情報及び第３端末装置の識別情報の入力を受け付けて、登録された保守情報に基づいて、保守に必要な保守部材の持ち出しが行われたか否かを判定する部材持ち出し処理を行うとともに、戻される保守部材の識別情報及び第３端末装置の識別情報の入力を受け付けて、登録された保守情報に基づいて、持ち出された保守部材の返却が行われたか否かを判定する部材返却処理を行う。
【００１２】
本発明の一側面である保守部材管理方法は、顧客からの保守依頼を受け付けるための第１端末装置と、保守作業に用いる保守部材を管理するための第２端末装置と、保守部材が保管された倉庫に設置されるゲート装置と、保守作業者に携帯される第３端末装置と、から構成される保守作業サポートシステムにおいて、第２端末装置は、保守に必要な保守部材に関する部材情報及び保守依頼を行った顧客に関する顧客情報を第１端末装置から取得するとともに、保守に必要な保守部材、保守作業者、保守作業の日時を含む保守情報をゲート装置に登録し、ゲート装置は、持ち出される保守部材の識別情報及び第３端末装置の識別情報の入力を受け付けて、登録された保守情報に基づいて、保守に必要な保守部材の持ち出しが行われたか否かを判定する部材持ち出し処理を行うとともに、戻される保守部材の識別情報及び第３端末装置の識別情報の入力を受け付けて、登録された保守情報に基づいて、持ち出された保守部材の返却が行われたか否かを判定する部材返却処理を行う。
【００１３】
本発明の一側面であるプログラムは、顧客からの保守依頼を受け付けるための第１端末装置と、保守作業に用いる保守部材を管理するための第２端末装置と、保守部材が保管された倉庫に設置されるゲート装置と、保守作業者に携帯される第３端末装置と、から構成される保守作業サポートシステムに用いられ、第２端末装置に、第１端末装置から取得した保守に必要な保守部材に関する部材情報及び保守依頼を行った顧客に関する顧客情報を用いて、保守に必要な保守部材、保守作業者、保守作業の日時を含む保守情報をゲート装置に登録させ、ゲート装置に、持ち出される保守部材の識別情報及び第３端末装置の識別情報の入力を受け付けて、登録された保守情報に基づいて、保守に必要な保守部材の持ち出しが行われたか否かを判定する部材持ち出し処理を行わせるとともに、戻される保守部材の識別情報及び第３端末装置の識別情報の入力を受け付けて、登録された保守情報に基づいて、持ち出された保守部材の返却が行われたか否かを判定する部材返却処理を行わせる。
【００１４】
本発明の一側面である記録媒体は、上記のプログラムを記録したコンピュータ読み取り可能な記録媒体である。
【発明の効果】
【００１５】
本発明によれば、保守に用いる部材を倉庫から持ち出して使用後に返却するような場合に、保守作業に必要な部材を漏らさず保守作業者に携行させるとともに、持ち出した部材を確実に倉庫に返却させることが可能となる。
【図面の簡単な説明】
【００１６】
【図１】本発明の実施形態に係る保守作業サポートシステムのシステム構成を示した図である。
【図２】本発明の実施形態に係る保守作業サポートシステムにおける各装置の構成を示した図である。
【図３】本発明の実施形態における倉庫決定画面の例を示した図である。
【図４】本発明の実施形態における作業指示メールの例を示した図である。
【図５】本発明の実施形態における部品ラベルの例を示した図である。
【図６】本発明の実施形態における督促メールの例を示した図である。
【図７】本発明の実施形態におけるデータ入力画面の例を示した図である。
【図８】本発明の実施形態における保守部品管理処理のフローを示した図である。
【発明を実施するための形態】
【００１７】
本発明では、保守機材や備品等の保守作業に用いる保守部材を倉庫から持ち出す日時を、あらかじめ倉庫の前に設置したセキュリティーゲートに登録する。そして、倉庫から保守作業員が顧客先へ保守部材を持ち出すとき、梱包箱に張られたＩＤ情報を埋め込んだタグ（例えばＩＣタグ） を翳さないと持ち出せないようにし、万一持ち出し漏れがあった場合にはゲートが保守作業員に対して保守部材の携帯を促す注意アナウンスを行う。これにより保守部材の持ち忘れを防止する。また、ゲートは、部材持ち出し時間及び保守作業者を自動記録し、２４時間以上返却がなかった場合には保守部材が戻入されるまで督促をする。これにより保守部材の持ち帰り防止を図る。以下、図面を参照して、本発明の実施形態について説明する。
【００１８】
図１は、本発明の実施形態に係る保守作業サポートシステムのシステム構成を示した図である。本実施形態の保守作業サポートシステムは、備品／装備配備端末１０、備品／装備倉庫端末２０、作業者携帯電話３０、ゲート４０を有して構成されている。これらの装置はプログラム制御により動作し、ＬＡＮやインターネット等のネットワーク１００を介し相互に接続されている。また、備品／装備配備端末１０には倉庫ＤＢ５０、備品／装備倉庫端末２０には倉庫の入り口に設置されたゲート４０が接続されている。
【００１９】
図２は、本発明の実施形態に係る保守作業サポートシステムにおける各装置の構成を示した図である。備品／装備配備端末１０は、ワークステーションやサーバ等の情報処理装置の情報処理装置であり、主にコールセンタにいるオペレータが操作する端末である。備品／装備配備端末１０は、データ入力処理部１１、サーバ表示部１２、電文送信処理部１３を有して構成される。
【００２０】
データ入力処理部１１は、障害が起きている顧客からの問い合わせを受け、オペレータの操作により修理に必要となる保守部材（修理交換する保守機材、備品）と顧客情報の入力を受け付ける機能を有する。サーバ表示部１２は、倉庫ＤＢ５０にアクセスをして顧客に近い倉庫を検索し、その倉庫内の対象となる保守部材の在庫状況一覧を作成して表示する機能を持っている。在庫状況一覧の表示例を図７に示す。電文送信処理部１３は、コールセンタにいるオペレータが決定した顧客先に最も近い場所にある倉庫（パーツセンタ）の備品／装備倉庫端末２０へネットワーク１００を介して部材情報を送信する機能、オペレータの決定したパーツセンタに保守に必要な保守部材の在庫がない場合に対象倉庫に向けて部材配送指示する機能を有する。部材情報を送信する際の倉庫決定画面例を図３に示す。
【００２１】
備品／装備倉庫端末２０は、お客さま先へ最も近い場所に設けられたパーツセンタと呼ばれる地方ブランチ倉庫にあるワークステーションやサーバ等の情報処理装置であり、主に部材管理者が操作する端末である。備品／装備倉庫端末２０は、受信処理部２１、ドア開閉処理部２２、作業指示処理部２３、戻入品処理部２４を有して構成される。
【００２２】
受信処理部２１は、備品／装備配備端末１０が送信した部材情報を受信する機能、部材管理者の操作により当該倉庫に在庫がないときに補充のために配送される保守部材の入庫処理を行う機能を有する。ドア開閉処理部２２は、部材管理者の操作により顧客先で保守作業を行う日時、保守作業者、顧客情報等の保守情報を登録する機能、ゲート４０からの入出庫情報（「誰が」、「いつ」、「どの部材」）を管理する機能を有する。作業指示処理部２３は、顧客先で保守作業を行う日時を保守作業員に伝える機能、保守作業員が保守部材の返却漏れをしているときは返却指示を行う機能を有する。作業指示メールの例を図４に、返却督促メールの例を図６に示す。戻入品処理部２４は、保守作業員が保守部材の返却をした旨を作業者携帯電話３０から受け取る機能を有する。
【００２３】
ゲート４０は、ブランチ倉庫の入り口に設置されたＩＣタグリーダ付きの自動ロックドアであり、持ち出し処理部４１、メッセージ部４２、開閉部４３、ＩＣタグリーダ４４、スピーカ４５を有して構成される。
【００２４】
持ち出し処理部４１は、部材管理者が保守部材の梱包箱に張られたＩＣタグ付き部品ラベルをＩＣタグリーダ４４に翳すことでの入庫処理を行う機能、保守作業員が倉庫内から保守部材を持ち出すときに保守部材の梱包箱に張られたＩＣタグ付き部品ラベルをＩＣタグリーダ４４に翳すことで持ち出し処理を行う機能、保守作業員が倉庫内に保守部材を返却するときに保守部材の梱包箱に張られたＩＣタグ付き部品ラベルをＩＣタグリーダ４４に翳すことで返却処理を行う機能、保守作業員が作業者携帯電話３０をＩＣタグリーダ４４に翳すことで保守作業員の名前を記録する機能を有する。
【００２５】
メッセージ部４２は、備品／装備倉庫端末２０が送信した保守情報を受け付け、保守作業員が保守部材を持ち忘れそうになったときに携帯するようスピーカ４５から自動アナウンス（例えば、「備品Ａを持ち忘れているので持参して下さい」）する機能、保守作業員が保守部材の返却忘れをしているときに返却するようスピーカ４５から自動アナウンス（例えば、「備品Ｂを返却し忘れているので返却して下さい」）する機能を有する。開閉部４３は、自動ロックドアで、適正に保守部材を持ち出す場合にのみ開く機能を有する。ＩＣタグリーダ４４は、通常のＩＣタグリーダで、ＩＣタグ付き部品ラベル及び作業者携帯電話３０のＩＣタグを読み取る機能を有する。本実施形態で用いられるＩＣは非接触ＩＣを想定しているが、もちろん接触ＩＣであってもよい。スピーカ４５は、メッセージ部４２からの音声情報を音声にするもので、通常のスピーカの構成である。
【００２６】
作業者携帯電話３０は、メール送受信機能及びＩＣタグ機能を有する通常の携帯電話で、顧客先へ故障修理を行う保守作業員が携帯する。ある。作業者携帯電話３０は、備品／装備倉庫端末２０から作業指示メールと部材返却指示メールを受信し、備品／装備倉庫端末２０へ部材返却メールを送信するために用いられる。また、ゲート４０での保守作業員の識別に用いられる。
【００２７】
倉庫で管理され保守作業員により持ち出される保守部材が入っている梱包箱は、図５に示すように、ＩＣタグ付き部品ラベルが貼られており、ＩＣタグ付き部品ラベルは保守部材の持ち出し返却の管理に用いられる。
【００２８】
次に、本実施形態において各装置で行われる動作について、図８のフローを参照しながら説明する。
【００２９】
まず、備品／装備配備端末１０は、コールセンタのオペレータの操作により保守部材（保守機材、備品）を登録する（ステップＡ１）と、顧客先に近い倉庫（パーツセンタ）を検索し、そのパーツセンタ内の対象となる保守部材の在庫状況を載せた倉庫端末一覧を表示する（ステップＡ２）。オペレータがパーツセンタを決定する（ステップＡ３、図３）すると、備品／装備配備端末１０は、ネットワーク１００を介して部材情報を備品／装備倉庫端末２０へ送信する（ステップＡ４）。このとき、決定したパーツセンタに必要な保守部材の在庫がない場合には、部材配送指示する。
【００３０】
備品／装備倉庫端末２０は、備品／装備配備端末１０が送った部材情報を受信したら（ステップＢ１）、配送されてくる保守部材がある場合には、翌日にパーツセンタへ届いた保守部材の梱包箱に付いているＩＣタグ付き部品ラベルをＩＣタグリーダ４４に翳して取得された情報を用いて入庫処理を行う（ステップＢ２）。続いて、備品／装備倉庫端末２０は、ゲート４０に必要な保守部材、保守作業者、保守作業日時を含む保守情報を登録し（ステップＢ３）、さらに保守作業日時を作業者携帯電話３０に通知して保守作業指示を出す（ステップＢ４、図４）。
【００３１】
作業者携帯電話３０は、備品／装備倉庫端末２０からの保守作業指示を受信する（ステップＣ１）。続いて、保守作業員は部材管理者が指定した日時に顧客先に出向くために、倉庫から保守部材を取りに行く。このとき、ＩＣタグリーダ４４は、保守作業員により翳された梱包箱のＩＣタグ付き部品ラベル及び作業者携帯電話３０のＩＣタグから各種情報を取得し、持ち出し処理部４１は保守部材持ち出し処理を行う（ステップＢ５）。保守部材持ち出し処理で、ゲート４０は、登録された保守情報（必要な保守部材、保守作業者、保守作業日時）とＩＣタグリーダ４４で取得した各種情報（保守部材、保守作業者、情報取得日時を比較し（ステップＢ６）、必要部材の持ち忘れないかをチェックする。
【００３２】
持ち忘れがない場合、ゲート４０は開閉部４３によりドアを開く。万一持ち忘れがある場合には、ゲート４０は、開閉部４３によりドアを閉じた状態とするとともに、スピーカ４５からアナウンスを行って、保守作業者に必要部材を携帯するように促す（ステップＢ７）。保守作業者が持ち忘れに気づいて再度梱包箱のＩＣタグ付き部品ラベル及び作業者携帯電話３０のＩＣタグをＩＣタグリーダ４４に翳し、保守部材の持ち忘れが解消されたことが確認されたとき開閉部４３によりドアを開く（ステップＢ８）。
【００３３】
その後、作業員は顧客先での作業を終えパーツセンタに帰って来たら、持ち出した保守部材の返却を行う。ＩＣタグリーダ４４は、梱包箱のＩＣタグ付き部品ラベル及び作業者携帯電話３０のＩＣタグから各種情報を取得し、持ち出し処理部４１は保守部材持ち帰り処理を行う（ステップＢ９）。保守部材持ち帰り処理で、ゲート４０は、持ち出し処理された保守部材と持ち帰り処理された保守部材とを比較し（ステップＢ１０）、両部材が一致しない場合にはその旨を備品／装備倉庫端末２０に通知し、備品／装備倉庫端末２０は作業者携帯電話３０に対し部材返却指示メールを送信する（ステップＢ１１、図６）。また、ゲート４０は、保守部品持ち出し処理結果を検索して当日に部材返却がなされていない（その日より前に保守部材持ち出し処理がされ、その日にいまだ保守部材持ち帰り処理がなされていない）場合（ステップＢ１０）にも、同様に備品／装備倉庫端末２０に通知し、備品／装備倉庫端末２０は作業者携帯電話３０に対し部材返却指示メールを送信する（ステップＢ１１、図６）。
【００３４】
作業者携帯電話３０は、備品／装備倉庫端末２０から部材返却指示メールを受信する（ステップＣ２）。部材返却指示メールを見た保守作業者は、保守部材の返却漏れに気づき、パーツセンタから持ち出した保守部材を返却するために帰る。そして、ＩＣタグリーダ４４は、梱包箱のＩＣタグ付き部品ラベル及び作業者携帯電話３０のＩＣタグから各種情報を取得し、持ち出し処理部４１により保守部材の返却処理（保守部材持ち帰り処理）を行う（ステップＣ３）。ゲート４０は、持ち出し処理された保守部材と持ち帰り処理された保守部材とを比較し（ステップＢ１０）、両部材が一致すれば保守部材却は適正に行われたこととなり、作業が完了する。
【００３５】
本実施形態によれば、コストを最小限に抑えて保守作業者の部材持ち出し漏れを防止することができる。その理由は、必要となる台数分だけの保守部材を保守作業者に顧客先へ持参させるためである。また、保守作業者の部材持ち帰り漏れを防止することができる。その理由は、セキュリティーゲートの活用により万一の持ち帰り漏れを防止できるためである。
【００３６】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【００３７】
すなわち、例えば本実施形態における備品／装備倉庫端末２０で実行されるプログラムは、実際のハードウエアを用いて具体的手段を実現する。すなわち、コンピュータ（ＣＰＵ）が所定の記録媒体からプログラムを読み出して実行することにより、各部（受信処理部２１、ドア開閉処理部２２、作業指示処理部２３、戻入品処理部２４）が主記憶装置上にロードされて生成される。また、例えばゲート４０では、ＣＰＵが所定の記録媒体からプログラムを読み出して実行することにより、各部（持ち出し処理部４１、メッセージ部４２、開閉部４３）が主記憶装置上にロードされて生成される。
【００３８】
本実施形態における備品／装備倉庫端末２０やゲート４０で実行されるプログラムは、インターネット等のネットワークに接続されたコンピュータ上に格納され、ネットワーク経由でダウンロードさせることにより提供されるように構成してもよい。また、上記プログラムをインターネット等のネットワーク経由で提供あるいは配布するように構成してもよい。
【００３９】
また、上記プログラムは、インストール可能な形式又は実行可能な形式のファイルで、フロッピー（登録商標）ディスク、ハードディスク、光ディスク、光磁気ディスク、ＣＤ−ＲＯＭ、ＣＤ−Ｒ、ＤＶＤ、不揮発性のメモリカード等のコンピュータで読み取り可能な記録媒体に記録されて提供されるように構成してもよい。また、上記プログラムは、ＲＯＭ等にあらかじめ組み込んで提供するように構成してもよい。
【００４０】
この場合、上記記録媒体から読み出された又は通信回線を通じてロードし実行されたプログラムコード自体が前述の実施形態の機能を実現することになる。そして、そのプログラムコードを記録した記録媒体は本発明を構成する。
【符号の説明】
【００４１】
１０    備品／装備配備端末
１１    データ入力処理部
１２    サーバ表示部
１３    電文送信処理部
２０    備品／装備倉庫端末
２１    受信処理部
２２    ドア開閉処理部
２３    作業指示処理部
２４    戻入品処理部
３０    作業者携帯電話
４０    ゲート
４１    持ち出し処理部
４２    メッセージ部
４３    開閉部
４４    ＩＣタグリーダ
４５    スピーカ
５０    倉庫ＤＢ
１００    ネットワーク
【図１】
2011008331.tif 000003
【図２】
2011008331.tif 000004
【図３】
2011008331.tif 000005
【図４】
2011008331.tif 000006
【図５】
2011008331.tif 000007
【図６】
2011008331.tif 000008
【図７】
2011008331.tif 000009
【図８】
2011008331.tif 000010